(57)【特許請求の範囲】
【請求項１】
透液性表面シートと裏面シートとの間に吸収要素が介在された吸収性物品において、
前記吸収要素に裏面側からのみエンボスが形成されるとともに、前記吸収要素と裏面シートとは前記エンボスの形成領域では接合されておらず、前記エンボス以外の領域で接合され、
前記エンボスは、平面視で、体液排出部領域の両側にそれぞれ前記吸収性物品の長手方向に沿う方向の線状エンボスと、その前後領域にそれぞれ前記線状エンボスから離隔した離隔エンボスとから構成されることを特徴とする吸収性物品。
【請求項２】
前記透液性表面シートは、該表面シートに対してのみ表面側エンボスが形成されている請求項１記載の吸収性物品。
【請求項３】
前記透液性表面シートと吸収要素との間に親水性のセカンドシートが配置されるとともに、前記透液性表面シート及びセカンドシートに対してのみ表面側エンボスが形成されている請求項１記載の吸収性物品。
【発明の詳細な説明】
【技術分野】
【０００１】
本発明は、経血やおりものなどを吸収するための生理用ナプキン、パンティライナー、失禁パッド等の吸収性物品、詳しくは表面材の破れを防止した吸収性物品に関する。
【背景技術】
【０００２】
従来より、図１２及び図１３に示されるように、生理用ナプキン、パンティライナー、おりものシート、失禁パッドなどの吸収性物品５０としては、ポリエチレンシートまたはポリエチレンラミネート不織布などからなる不透液性裏面シート５１と、不織布または透孔性プラスチックシートなどからなる透液性表面シート５２との間に綿状パルプなどからなる吸収体を含む吸収要素５３を介在させたものが知られている。
【０００３】
この種の吸収性物品５０においては、幅方向への体液の拡散を防止するとともに、吸収体のヨレを防止し、かつ吸収体中央部を隆起させ局部への密着性を向上させるなどの目的で、表面側に各種のパターンでエンボス５４、５４…が形成されたものが存在する。前記エンボス５４は、吸収性物品５０の製造過程において、吸収要素５３と透液性表面シート５２とを積層させた状態で、所定温度に加熱させた圧搾ロールと、圧力を受け止めるアンビルロールとの間を通過させることによって、前記透液性表面シート５２側から前記圧搾ロールの表面に形成されたエンボス溝用突部による圧搾によって形成されるものである（下記特許文献１、２参照）。
【先行技術文献】
【特許文献】
【０００４】
【特許文献１】特許第４０５８２８１号公報
【特許文献２】特許第４１２４３２２号公報
【発明の概要】
【発明が解決しようとする課題】
【０００５】
しかしながら、上記特許文献１、２記載の吸収性物品などのように、表面側からエンボスを形成した場合、表面材（透液性表面シート、親水性セカンドシート及び吸収体を囲繞する被包シートなど）は、特にエンボス５４の形成領域近傍においてエンボスに向かって引っ張られた状態となる。このような吸収性物品をジムや部活動など体を動かす運動時に装着した場合、表面材に経血などの体液に加えて汗が吸収されると同時に、体の動きによって前後方向及び幅方向への引張り、曲げ及びねじりなどの変形が生じる上に、エンボスの形成によって排血口部に密着する中高部が体の動きに伴って排血口部にくい込んでさらに表面材の張りが増すなどの諸条件が重なることによって、表面材がエンボス近傍で破れるという問題が生じることがあった。
【０００６】
また、表面材が破れることによって、破れた表面材の端部やその内部のパルプが肌に貼り付き、カブレやかゆみといった肌トラブルの原因となっていた。
【０００７】
そこで本発明の主たる課題は、表面材の張りをやわらげ、破れを防止するとともに、肌トラブルを防止した吸収性物品を提供することにある。
【課題を解決するための手段】
【０００８】
上記課題を解決するために請求項１に係る本発明として、透液性表面シートと裏面シートとの間に吸収要素が介在された吸収性物品において、
前記吸収要素に裏面側からのみエンボスが形成されるとともに、前記吸収要素と裏面シートとは前記エンボスの形成領域では接合されておらず、前記エンボス以外の領域で接合され、
前記エンボスは、平面視で、体液排出部領域の両側にそれぞれ前記吸収性物品の長手方向に沿う方向の線状エンボスと、その前後領域にそれぞれ前記線状エンボスから離隔した離隔エンボスとから構成されることを特徴とする吸収性物品が提供される。
【０００９】
上記請求項１記載の発明では、吸収要素には裏面側からのみエンボスが形成されているとともに、前記吸収要素と裏面シートとは前記エンボスの形成領域では接合されておらず、前記エンボス以外の領域で接合されている。従って、透液性表面シートなどの表面材に張りが生ずることがなくなり、経血や汗が吸収されると同時に、体の動きによって生じる前後方向及び幅方向への引張り、曲げ及びねじりなどの変形に加え、表面側エンボスによって排血口部に密着する中高部が排血口部にくい込んでさらに変形が増すなどの諸条件が重なっても、表面材が破れる事態が防止される。このため、破れた表面材の端部やその内部のパルプが肌に貼り付いて、カブレやかゆみといった肌トラブルの発生が防止できる。
【００１０】
吸収要素の裏面側に形成するエンボスは、平面視で、体液排出部領域の両側にそれぞれ前記吸収性物品の略長手方向に沿う方向の線状エンボスと、その前後領域にそれぞれ前記線状エンボスから離隔した離隔エンボスとから構成されている。体液排出部領域の両側に形成された線状エンボスは、体液排出部領域の両側にコシを与えるとともに、この線状エンボスを可撓軸として吸収性物品の両側を裏面側に折り曲げやすくし、体液排出部領域が中高状に形成されることによって排血口部に密着し易くするとともに、両側部を脚周りにフィットさせ易くしている。
【００１１】
また、前記線状エンボスから離隔して形成された離隔エンボスは、体の動きなどによる引張り、曲げ及びねじりなどの変形に対抗するためのものであり、これらの変形が前記線状エンボスに直接伝播することがないように、線状エンボスから離隔して形成するようにしたものである。
【００１２】
請求項２に係る本発明として、前記透液性表面シートは、該表面シートに対してのみ表面側エンボスが形成されている請求項１記載の吸収性物品が提供される。
【００１３】
上記請求項２記載の発明では、透液性表面シートに対してのみ表面側エンボスが形成されていることにより、表面材の張りを抑えつつ、表面側からの見栄えが堰き止め効果を有し不安感を与えないものにできるとともに、表面材での体液の拡散を抑止することができるようになる。
【００１４】
請求項３に係る本発明として、前記透液性表面シートと吸収要素との間に親水性のセカンドシートが配置されるとともに、前記透液性表面シート及びセカンドシートに対してのみ表面側エンボスが形成されている請求項１記載の吸収性物品が提供される。
【００１５】
上記請求項３記載の発明では、透液性表面シートと吸収要素との間に親水性のセカンドシートを配置するとともに、これら透液性表面シート及びセカンドシートに対してのみ表面側エンボスを形成することによって、表面材の張りを抑えつつ、表面側からの見栄えが堰き止め効果を有し不安感を与えないものにできるとともに、表面材での体液の拡散を抑止することができるようになる。
【発明の効果】
【００１６】
以上詳説のとおり本発明によれば、表面材の張りをやわらげ、破れを防止するとともに、肌トラブルを防止した吸収性物品が提供できるようになる。
【図面の簡単な説明】
【００１７】
【図１】本発明に係る生理用ナプキン１の一部破断平面図である。
【図２】そのII−II線矢視図である。
【図３】裏面シートとの接合領域を示す吸収要素６の裏面図である。
【図４】生理用ナプキン１の装着状態を示す横断面図である。
【図５】裏面側エンボス（パターン１）を示す吸収要素６の裏面図である。
【図６】裏面側エンボス（パターン２）を示す吸収要素６の裏面図である。
【図７】裏面側エンボス（パターン３）を示す吸収要素６の裏面図である。
【図８】裏面側エンボス（パターン４）を示す吸収要素６の裏面図である。
【図９】裏面側エンボス（パターン５）を示す吸収要素６の裏面図である。
【図１０】表面側エンボスの拡大図である。
【図１１】他の形態に係る生理用ナプキン１の横断面図である。
【図１２】従来の吸収性物品５０の一部破断平面図である。
【図１３】図１２のXIII−XIII線矢視図である。
【発明を実施するための形態】
【００１８】
以下、本発明の実施の形態について図面を参照しながら詳述する。
【００１９】
本発明に係る生理用ナプキン１は、図１及び図２に示されるように、ポリエチレンシートなどからなる不透液性の裏面シート２と、経血やおりものなどを速やかに透過させる透液性表面シート３と、これら両シート２，３間に介装された面状パルプ又は合成パルプなどからなる吸収体４、及び好ましくは前記吸収体４を囲繞する被包シート５からなる吸収要素６とから主に構成されている。
【００２０】
本発明では特に、図１及び図２に示されるように、前記吸収要素６に裏面側からエンボス７、７…が形成されるとともに、図３に示されるように、前記吸収要素６と裏面シート２とが前記エンボス７以外の接合領域８、８…で接合されている。
【００２１】
本生理用ナプキン１では、前記エンボス７、７…が吸収要素６の裏面側から形成され、表面側からは形成されていない。このため、透液性表面シート３や吸収体４の表面側に配置される被包シート５の表面材は、エンボス付与による張りが生じなくなり、経血や汗が吸収されると同時に、体の動きによって生じる前後方向及び幅方向への引張り、曲げ及びねじりなどの変形に加え、エンボスの形成によって排血口部に密着した中高部が排血口部にくい込んでさらに変形が増すなどの諸条件が重なっても、破れるような事態が防止できる。これにより、破れた表面材の端部やその内部のパルプが肌に貼り付き、カブレやかゆみといった肌トラブルが防止できる。
【００２２】
また、前記エンボス７を、図３に示されるように、平面視で、体液排出部領域Ｈの両側にそれぞれ生理用ナプキン１の略長手方向に沿う方向の線状エンボス７Ａと、その前後領域にそれぞれ前記線状エンボス７Ａから離隔した離隔エンボス７Ｂとから構成することにより、生理用ナプキン１の装着状態において、図４に示されるように、前記線状エンボス７Ａ、７Ａが可撓軸となって生理用ナプキン１の両側が裏面側に折れ曲がりやすくなり、体液排出部領域Ｈが中高状に形成され排血口部に密着し易くなるとともに、生理用ナプキン１の両側部が脚周りにフィットし易くなる。
【００２３】
さらに、前記吸収要素６と裏面シート２とは、エンボス７、７…以外の領域で接合され、エンボス７の形成領域では接合されていない。ここで、図１５に示される従来の吸収性物品５０のように、裏面シート５１と吸収要素５３とが接合領域５５によって全面的に接合されている場合、表面側のエンボス５４に対向する裏面側がショーツのシワ、ズレなどによって引っ張られると、エンボス部を介して表面側の透液性表面シート５２の張りまでもが増して破れるという問題があった。これに対して本生理用ナプキン１では、エンボス７の形成領域では裏面シート２が吸収要素６と接合されていないため、ショーツのシワ、ズレなどによって裏面シート２がよれても裏面シート２につられてエンボス部が引っ張られることがなくなり、表面材の破れが防止できるようになる。
【００２４】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２５】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２６】
前記不透液性裏面シート２と透液性表面シート３との間に介在される吸収要素６を構成する吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２７】
また、前記吸収体４に合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００２８】
本例のように、吸収体４を囲繞する被包シート５を設ける場合には、結果的に透液性表面シート３と吸収体４との間に被包シート５が介在することになり、吸収性に優れる前記被包シート５によって体液を速やかに拡散させるとともに、これら経血等の逆戻りを防止するようになる。前記被包シート５としては、クレープ紙又は親水性不織布などを用いることができる。
【００２９】
前記吸収要素６には、裏面側からエンボス７、７…が形成されている。前記エンボス７は、平面視で、体液排出部領域Ｈの両側にそれぞれ前記生理用ナプキン１の略長手方向に沿う方向の線状エンボス７Ａ、７Ａと、その前後領域にそれぞれ前記線状エンボス７Ａから離隔した離隔エンボス７Ｂ…とから構成されている。前記線状エンボス７Ａは、体液排出部領域Ｈの両側にコシを持たせるとともに、前述の通り生理用ナプキン１の両側を外側に折り曲げる可撓軸ともなるため、連続した直線状に形成することが好ましい。一方、前記離隔エンボス７Ｂは、体の動きによる引張り、曲げ及びねじりなどの変形に対抗するためのものであり、これらの変形を前記線状エンボス７Ａに直接伝播させないように、前記線状エンボス７Ａから離隔して形成されている。
【００３０】
前記エンボス７の第１パターンは、図５に示されるように、平面視で、体液排出部領域Ｈの両側にそれぞれ前記線状エンボス７Ａ、７Ａを形成するとともに、この線状エンボス７Ａの前後領域にそれぞれ前記線状エンボス７Ａから離隔して、体液排出部領域Ｈに向けて拡張した一対のハ字状の離隔エンボス７Ｂ、７Ｂを形成したものである。
【００３１】
前記エンボス７の第２パターンは、図６に示されるように、平面視で、体液排出部領域Ｈの両側にそれぞれ前記線状エンボス７Ａ、７Ａを形成するとともに、この線状エンボス７Ａの前後領域にそれぞれ前記線状エンボス７Ａから離隔して、生理用ナプキン１の幅方向中央部に幅方向に沿う方向の細長線状の離隔エンボス７Ｂ、７Ｂを形成したものである。
【００３２】
前記エンボス７の第３パターンは、図７に示されるように、平面視で、体液排出部領域Ｈの両側にそれぞれ前記線状エンボス７Ａ、７Ａを形成するとともに、この線状エンボス７Ａの前後領域にそれぞれ前記線状エンボス７Ａから離隔して、長手方向外側に膨出し略幅方向に沿う円弧線上に小間隔で複数（図示例では４つ）配列されたドット状の、円状、楕円状などの離隔エンボス７Ｂ、７Ｂ…を形成したものである。
【００３３】
前記エンボス７の第４パターンは、図８に示されるように、平面視で、体液排出部領域Ｈの両側に前記線状エンボス７Ａ、７Ａを形成するとともに、この線状エンボス７Ａの前後領域にそれぞれ前記線状エンボス７Ａから離隔して、十字状の離隔エンボス７Ｂを形成したものである。
【００３４】
前記エンボス７の第５パターンは、図９に示されるように、平面視で、体液排出部領域Ｈの両側にそれぞれ前記線状エンボス７Ａ、７Ａを形成するとともに、この線状エンボス７Ａの前後領域にそれぞれ前記線状エンボス７Ａから離隔してドット状の、円状又は生理用ナプキン１の長手方向に長い楕円状、長円状、長方形状などの複数の（図示例では２つの）離隔エンボス７Ｂ、７Ｂを形成したものである。
【００３５】
ところで、生理用ナプキン１の表面側には、図１０及び図１１に示されるように、表面材に対して表面側エンボス９、９…を形成することができる。例えば、透液性表面シート３と吸収要素６との間に親水性のセカンドシート１０が配置された生理用ナプキン１の場合、前記透液性表面シート３及びセカンドシート１０に共に表面側エンボス９、９…を形成する。なお、前記親水性のセカンドシート１０が配設されない場合には、前記透液性表面シート３のみに前記表面側エンボス９、９…を形成することができる。
【００３６】
図１０は、前記表面側エンボス９、９…の平面視の形成パターンである。表面材に表面側エンボス９を形成する場合、前記裏面側エンボス７に対向する形成位置（図中の一点鎖線）より外側領域に形成することが好ましい。前記表面側エンボス９の第１パターンは、同図(A)に示されるように、前記裏面側エンボス７、７…の前後領域（前記離隔エンボス７Ｂ、７Ｂの前後領域）にそれぞれ、ドット状の表面側エンボス９、９…を円弧状に小間隔で複数形成したものである。第２パターンは、同図(B)に示されるように、前記裏面側エンボス７、７…の両側領域（前記線状エンボス７Ａ、７Ａの外側領域）にそれぞれ、ドット状の表面側エンボス９、９…を円弧状に小間隔で複数形成したものである。第３パターンは、同図(C)に示されるように、前記裏面側エンボス７、７…の外周領域に、ドット状の表面側エンボス９、９…を楕円状に小間隔で複数形成したものである。
【符号の説明】
【００３７】
１…生理用ナプキン、２…不透液性裏面シート、３…透液性表面シート、４…吸収体、５…被包シート、６…吸収要素、７…エンボス（裏面側エンボス）、８…接合領域、９…表面側エンボス、１０…セカンドシート
【図１】
0005629437.tif 000002
【図２】
0005629437.tif 000003
【図３】
0005629437.tif 000004
【図４】
0005629437.tif 000005
【図５】
0005629437.tif 000006
【図６】
0005629437.tif 000007
【図７】
0005629437.tif 000008
【図８】
0005629437.tif 000009
【図９】
0005629437.tif 000010
【図１０】
0005629437.tif 000011
【図１１】
0005629437.tif 000012
【図１２】
0005629437.tif 000013
【図１３】
0005629437.tif 000014